(57)【要約】      （修正有）【課題】横仕切部材の前框部の構造を単純化してコスト低減を図るとともに、横仕切部材の前框部に上段収納庫の扉の下側ラッチが係合した状態で、下段収納庫の収納空間内に露出しないようにした多段式収納家具の扉開閉装置を提供する。【解決手段】一つの筐体の内部を少なくとも横仕切部材で上下に仕切って複数の収納空間を設け、それぞれの収納空間の前面開口部を扉で開閉する構造の単位収納庫を複数設けた多段式収納家具において、横仕切部材３は、水平板の前縁から下方へ延びた前框部１７を有し、前框部を形成する前板１９には上段収納庫の扉５の下側ラッチ８Ａと下段収納庫の扉の上側ラッチが係合する係合孔１６が上下に並設され、少なくとも上段収納庫の扉の下側ラッチが係合孔に係合した状態で、ラッチが収納空間内で横仕切部材に設けたカバー体２０によって外覆されている構成とした。【選択図】図３
2018003321.tif 000002
【特許請求の範囲】
【請求項１】
一つの筐体の内部を少なくとも横仕切部材で上下に仕切って複数の収納空間を設け、それぞれの収納空間の前面開口部を扉で開閉する構造の単位収納庫を複数設けた多段式収納家具において、前記横仕切部材は、水平板の前縁から下方へ延びた前框部を有し、該前框部を形成する前板には上段収納庫の扉の下側ラッチと下段収納庫の扉の上側ラッチが係合する係合孔が上下に並設され、少なくとも上段収納庫の扉の下側ラッチが前記係合孔に係合した状態で、該ラッチが前記収納空間内で前記横仕切部材に設けたカバー体によって外覆されていることを特徴とする多段式収納家具の扉開閉装置。
【請求項２】
前記係合孔のうち、少なくとも上段収納庫の扉の下側ラッチが係合する係合孔には、該ラッチを外覆するカバー体を備えたラッチ受部材を装着してなる請求項１記載の多段式収納家具の扉開閉装置。
【請求項３】
前記ラッチ受部材は、前記ラッチを受け入れる挿入部と、該ラッチを係合する係合部と、該ラッチを外覆するカバー体を備えている請求項２記載の多段式収納家具の扉開閉装置。
【請求項４】
前記ラッチ受部材は、合成樹脂製の一体成形品であり、前記カバー体の一端が側方へ開放されており、該開放部を前記筐体の側板若しくは縦仕切部材に接近させて配置してなる請求項３記載の多段式収納家具の扉開閉装置。
【請求項５】
前記ラッチ受部材のカバー体の内側幅を指が入らない程度に狭く設定してなる請求項３又は４記載の多段式収納家具の扉開閉装置。
【発明の詳細な説明】
【技術分野】
【０００１】
本発明は、多段式収納家具の扉開閉装置に係わり、更に詳しくは防盗性に優れた多段式収納家具の扉開閉装置に関するものである。
【背景技術】
【０００２】
従来から、筐体の前面開口部に開閉可能に設ける扉に、引手と、該引手に連動して筐体の框部に係脱するラッチと、機械錠及び／又は電気錠からなる施錠手段とを備えたスチール製の収納家具は各種提供されている。ここで、前記ラッチは、扉の遊端寄りの上下縁に背面へ向けて突出するように設け、前記筐体の上下框部の前面に設けた係合孔に係脱する構造が一般的である。
【０００３】
一般的に、前記筐体の係合孔はプレス加工による打ち抜きで形成されるが、その際に係合孔の孔縁にはバリや鋭いエッジが形成される。そこで、前記係合孔の孔縁を外覆し、ラッチの滑りを良くし、更には外観性を良くするために、前記係合孔の内周縁に合成樹脂製のラッチ受部材が嵌着されている（特許文献１）。前記ラッチは、前記ラッチ受部材の挿入部に受け入れられ、該ラッチ受部材の係合部に係止されるのである。
【０００４】
通常、前記筐体の係合孔にラッチが係合する位置は、上框部であれば天板下方の収納空間に面し、下框部であれば底板の下方で、補強のために袋状に屈曲した補強部の内部空間に面するように設けられ、扉を閉じて施錠をした状態で、筐体をひっくり返してもラッチが見えないように設計されている。
【０００５】
一方、ロッカーのように、一つの筐体の内部を仕切って上下左右に複数の収納空間を設け、それぞれの収納空間の前面開口部を扉で開閉する構造の単位収納庫を複数設けた収納家具も提供されている（特許文献２）。この場合、上下の単位収納庫は共通の水平な横仕切部材で区画され、該横仕切部材が上段収納庫の底板となり、下段収納庫の天板となる。そして、横仕切部材の前框部の前面には、上段収納庫の扉の下側ラッチと下段収納庫の扉の上側ラッチが係合する係合孔が上下に並設されている。
【０００６】
通常、前記横仕切部材は、水平板の前縁から下方へ延びた前框部を有し、該前框部を形成する前板に前述の係合孔を並設しているため、必然的に上段収納庫の扉の下側ラッチは、横仕切部材の水平板より下方に位置している。そこで、上段収納庫の扉の下側ラッチが、下段収納庫の収納空間内に露出していると、該収納空間内から指を差し入れて該ラッチの係合を解除し、上段収納庫の扉を開くことができるようになる。それを防止するために、前記横仕切部材の前框部の構造をラッチが露出しない袋状に構成したり、別の補強部材を固定してラッチが露出しないようにしているが、多数用いる横仕切部材の構造が複雑になってコスト高となる。
【先行技術文献】
【特許文献】
【０００７】
【特許文献１】特開２００８−１２１３２１号公報
【特許文献２】特開平１０−２２２７３０号公報
【発明の概要】
【発明が解決しようとする課題】
【０００８】
そこで、本発明が前述の状況に鑑み、解決しようとするところは、一つの筐体の内部を少なくとも横仕切部材で上下に仕切って複数の収納空間を設け、それぞれの収納空間の前面開口部を扉で開閉する構造の単位収納庫を複数設けた多段式収納家具において、前記横仕切部材の前框部の構造を単純化してコスト低減を図るとともに、該横仕切部材の前框部に上段収納庫の扉の下側ラッチが係合した状態で、下段収納庫の収納空間内に露出しないようにした多段式収納家具の扉開閉装置を提供する点にある。
【課題を解決するための手段】
【０００９】
本発明は、前述の課題解決のために、以下に構成する多段式収納家具の扉開閉装置を提供する。
【００１０】
（１）
一つの筐体の内部を少なくとも横仕切部材で上下に仕切って複数の収納空間を設け、それぞれの収納空間の前面開口部を扉で開閉する構造の単位収納庫を複数設けた多段式収納家具において、前記横仕切部材は、水平板の前縁から下方へ延びた前框部を有し、該前框部を形成する前板には上段収納庫の扉の下側ラッチと下段収納庫の扉の上側ラッチが係合する係合孔が上下に並設され、少なくとも上段収納庫の扉の下側ラッチが前記係合孔に係合した状態で、該ラッチが前記収納空間内で前記横仕切部材に設けたカバー体によって外覆されていることを特徴とする多段式収納家具の扉開閉装置。
【００１１】
（２）
前記係合孔のうち、少なくとも上段収納庫の扉の下側ラッチが係合する係合孔には、該ラッチを外覆するカバー体を備えたラッチ受部材を装着してなる（１）記載の多段式収納家具の扉開閉装置。
【００１２】
（３）
前記ラッチ受部材は、前記ラッチを受け入れる挿入部と、該ラッチを係合する係合部と、該ラッチを外覆するカバー体を備えている（２）記載の多段式収納家具の扉開閉装置。
【００１３】
（４）
前記ラッチ受部材は、合成樹脂製の一体成形品であり、前記カバー体の一端が側方へ開放されており、該開放部を前記筐体の側板若しくは縦仕切部材に接近させて配置してなる（３）記載の多段式収納家具の扉開閉装置。
【００１４】
（５）
前記ラッチ受部材のカバー体の内側幅を指が入らない程度に狭く設定してなる（３）又は（４）記載の多段式収納家具の扉開閉装置。
【発明の効果】
【００１５】
以上にしてなる本発明の多段式収納家具の扉開閉装置は、一つの筐体の内部を少なくとも横仕切部材で上下に仕切って複数の収納空間を設け、それぞれの収納空間の前面開口部を扉で開閉する構造の単位収納庫を複数設けた多段式収納家具において、前記横仕切部材は、水平板の前縁から下方へ延びた前框部を有し、該前框部を形成する前板には上段収納庫の扉の下側ラッチと下段収納庫の扉の上側ラッチが係合する係合孔が上下に並設され、少なくとも上段収納庫の扉の下側ラッチが前記係合孔に係合した状態で、該ラッチが前記収納空間内で前記横仕切部材に設けたカバー体によって外覆されているので、下段収納庫の扉を開放した場合でも、上段収納庫の扉の下側ラッチはカバー体で外覆されているので、下段収納庫の収納空間内から指を差し入れても上段収納庫の扉の下側ラッチに触ることができず、もって上段収納庫の扉を開くことができない、即ち防盗性を備えたものとなる。しかも、横仕切部材の前框部の構造は簡単化されるので、製造工程が少なく、材料費も節約できて、コスト低減を図ることができる。
【００１６】
前記係合孔のうち、少なくとも上段収納庫の扉の下側ラッチが係合する係合孔には、該ラッチを外覆するカバー体を備えたラッチ受部材を装着してなると、下段収納庫の扉を開放した場合でも、上段収納庫の扉の下側ラッチはラッチ受部材のカバー体で外覆されているので、下段収納庫の収納空間内から指を差し入れても上段収納庫の扉の下側ラッチに触ることができない。
【００１７】
前記ラッチ受部材は、前記ラッチを受け入れる挿入部と、該ラッチを係合する係合部と、該ラッチを外覆するカバー体を備えているので、従来の前板の係合孔の内周縁を覆う保護部材の作用に加え、ラッチを外覆する作用も備えたものとなる。
【００１８】
前記ラッチ受部材は、合成樹脂製の一体成形品であり、前記カバー体の一端が側方へ開放されており、該開放部を前記筐体の側板若しくは縦仕切部材に接近させて配置することにより、ラッチ受部材を最小限のコスト高で一体成形により製造することができ、また樹脂成形時の金型抜きによって必然的に形成される開放部から内部のラッチにアクセスするのが困難になる。
【００１９】
前記ラッチ受部材のカバー体の内側幅を指が入らない程度に狭く設定してなると、カバー体に物理的に指を挿入することができなくなり、ラッチの係合を解除することを確実に防止できる。
【図面の簡単な説明】
【００２０】
【図１】本発明に係る多段式収納家具を示す全体斜視図である。
【図２】扉開放状態における要部の正面図である。
【図３】扉閉止状態における要部の横断平面図である。
【図４】扉閉止状態における要部の縦断側面図である。
【図５】ラッチとラッチ受部材との関係を示す部分横断平面図である。
【図６】ラッチ受部材を示し、（ａ）は平面図、（ｂ）は右側面図、（ｃ）は正面図、（ｄ）は縦断平面図、（ｅ）は斜視図である。
【発明を実施するための形態】
【００２１】
次に、添付図面に示した実施形態に基づき、本発明を更に詳細に説明する。図１は本発明に係る多段式収納家具を示し、図２〜図６はその詳細を示し、図中符号Ａは多段式収納家具、Ｂは単位収納庫、１は筐体、２は縦仕切部材、３は横仕切部材、４は収納空間、５は扉、６は引手、７は施錠手段、８はラッチ、９はラッチ受部材をそれぞれ示している。
【００２２】
本発明に係る多段式収納家具Ａは、図１〜図４に示すように、スチール製であり、一つの箱型の筐体１の内部を少なくとも横仕切部材３で上下に仕切って複数の収納空間４，…を設け、それぞれの収納空間４の前面開口部を扉５で開閉する構造の単位収納庫Ｂ，…を複数設けたものである。前記筐体１は、天板１０、底板１１、両側板１２，１２及び背板１３とからなる前面開放の箱型であり、本実施形態では前記筐体１の中央部に、天板１０と底板１１に連結した縦仕切部材２を設けるとともに、該縦仕切部材２と側板１２の上下中間部間に前記横仕切部材３を連結して、上下左右に４つの単位収納庫Ｂ，…を形成している。
【００２３】
前記扉５は、前記収納空間４の前面開口部を開閉するもので、一側端を前記側板１２若しくは縦仕切部材２にヒンジ１４，１４にて回動開閉可能に保持するとともに、更に引手６と、該引手６に連動して筐体１の框部に係脱するラッチ８と、機械錠及び／又は電気錠からなる施錠手段７とを備えている。前記ラッチ８は、前記扉５の遊端寄りの上下縁に背面へ向けて突出するように設け、該扉５の遊端縁に沿って上下方向に配置したシャフト１５を介して前記引手６の開閉動作に連動して傾動するようになっており、前記筐体１の上下框部の前面、本実施形態では前記横仕切部材３と天板１０及び底板１１の前面に設けた係合孔１６に装着した前記ラッチ受部材９に係脱する。
【００２４】
本実施形態の前記多段式収納家具Ａは、左右に複数連結できるようになっており、更に上下にも積み重ねることも可能である。本実施形態では、一つの筐体１に４つの単位収納庫Ｂ，…を設けたが、更に縦仕切部材２や横仕切部材３を２つ、３つと増やして更に多くの単位収納庫Ｂを設けても良い。本発明で重要なのは、上段収納庫Ｂと下段収納庫Ｂとを区画形成する共通の横仕切部材３の前框部１７に、上段収納庫Ｂの扉５の下側ラッチ８と下段収納庫Ｂの扉５の上側ラッチ８とが係合する構造であることである。
【００２５】
更に詳しくは、図２〜図４に示すように、前記横仕切部材３は、水平板１８の前縁から下方へ延びた前框部１７を有し、該前框部１７を形成する前板１９には上段収納庫Ｂの扉５の下側ラッチ８Ａと下段収納庫Ｂの扉５の上側ラッチ８Ｂが係合する係合孔１６，１６が上下に並設され、少なくとも上段収納庫Ｂの扉５の下側ラッチ８Ｂが係合する係合孔１６には、該ラッチ８Ａを外覆するカバー体２０を備えたラッチ受部材９を装着している。
【００２６】
ここで、前記ラッチ受部材９と前記カバー体２０とを別体で作製し、前記ラッチ受部材９と前記カバー体２０とが前記横仕切部材３にそれぞれ独立して取付けられる態様を採用してもよい。あるいは、前記ラッチ受部材９を前記係合孔１６に装着した状態または装着前の状態で、該ラッチ受部材９に背面側、即ち収容空間４の内部側からカバー体２０を適宜な連結手段で連結して一体化することも可能である。更に、前記カバー体２０が合成樹脂の成形品であれば、前記横仕切部材３の適所、例えば前板１９に係合手段にて取付ければ良く、前記カバー体２０を板金で製作した場合は、前記横仕切部材３の適所、例えば前板１９に溶接などにより固定しても良い。
【００２７】
そして、前記施錠手段７が解錠状態で、前記引手６の指掛け部に指を掛けて手前に引くと、前記シャフト１５が回転し、前記ラッチ８とラッチ受部材９の係合部２２との係合が解除され、前記扉５を開くことができる。一方、前記施錠手段７が施錠状態になると、前記引手６を開く方向へ操作しても前記シャフト１５が回転しないようになっている。
【００２８】
前記ラッチ受部材は、図２〜図６に示すように、合成樹脂製の一体成形品であり、前記ラッチ８を受け入れる挿入部２１と、該ラッチ８を係合する係合部２２と、該ラッチ８を外覆するカバー体２０を備えている。更に、前記ラッチ受部材９は、前記カバー体２０の一端が側方へ開放されており、該開放部２３は樹脂成形時の金型抜きによって必然的に形成される。また、前記ラッチ受部材９のカバー体２０の内側幅、つまり前記ラッチ８を収容する空間の上下寸法を指が入らない程度に狭く設定している。
【００２９】
前記ラッチ受部材９の開放部２３を前記筐体１の前記側板１２若しくは縦仕切部材２に接近させて配置し、該側板１２若しくは縦仕切部材２とラッチ受部材９の開放部２３の端部の間隔を狭め、その間に指を差し入れることができないか、若しくは難しくしている。それにより、前記ラッチ受部材９の成形時に必然的に形成される開放部２３から内部のラッチ８にアクセスするのが困難になる。
【００３０】
本実施形態の収納庫Ｂは、図１に示すように、前記収納空間４の上部に棚板２４を設けて、上下幅の小さな小収納空間４Ａを形成し、該小収納空間４Ａの前面開口部に対応する前記扉５に横長のスリット開口２５を設け、該扉５が閉止状態でも葉書や封筒を投入できるように構成し、本実施形態の前記多段式収納家具Ａをマンションなどの集合住宅における郵便受け、あるいは宅配ボックスとして利用できるようにしている。
【００３１】
更に、前記ラッチ受部材９の挿入部２１の外周部には、上下縁に前記横仕切部材３の前板１９の前面に当止するフランジ部２６と、前記開放部２３側の端部には、前記係合孔１６の孔縁を受け入れる溝部２７と、反対側の端部には、前記係合孔１６の孔縁を弾性的に係合する爪部２８を有している。前記横仕切部材３の係合孔１６に前記ラッチ受部材９を装着するには、前記前框部１７の前面側から、前記ラッチ受部材９を斜めにして開放部２３側から挿入し、前記溝部２７に前記係合孔１６の孔縁を受けた後、反対側を押し込んで、前記爪部２８を前記係合孔１６の孔縁を弾性的に変形させながら通過させ、孔縁の裏側に弾性的に係止するのである。
【００３２】
本実施形態では、前記横仕切部材３は、棚板部２９と前記前框部１７を別体で作製し、両部材を連結して一体化した構造である。前記棚板部２９は、前記水平板１８の周縁を下方へ折曲し、更に少なくとも前縁においてその下端を後方へ折曲して断面略Ｌ字状の補強縁３０を形成している。そして、前記前框部１７は、前記前板１９の上下縁を後方へ折曲して水平部３１，３１を形成し、上方の水平部３１の後端を下方に折曲し、更に後方へ折曲して断面略Ｌ字形の受部３２を形成するとともに、下方の水平部３１の後端を上方に折曲して補強部３３を形成したものである。
【００３３】
そして、前記前框部１７の受部３２に、前記棚板部２９の補強縁３０を接合状態で、スポット溶接などで固着している。ここで、前記補強縁３０と受部３２には、図２及び図３に示すように、前記上段収納庫Ｂの扉５の下側ラッチ８Ａの傾動動作に干渉しないように切欠部３４を形成してあり、前記ラッチ受部材９のカバー体２０を構成する上側の板部には、図３及び図６に示すように、前記切欠部３４の切断縁を受け入れる凹部３５を形成している。ここで、前記ラッチ受部材９の凹部３５に前記切欠部３４の切断縁が係合した状態では、前記開放部２３の内部に前記補強縁３０の切断縁が位置し、該開放部２３を実質的に塞いでいる。それにより、更に指や器具をカバー体２０の内部に差し入れることができないようになっている。
【符号の説明】
【００３４】
Ａ  多段式収納家具、
Ｂ  単位収納庫、
１  筐体、
２  縦仕切部材、
３  横仕切部材、
４  収納空間、
４Ａ  小収納空間、
５  扉、
６  引手、
７  施錠手段、
８  ラッチ、
８Ａ  上段収納庫の下側ラッチ、
８Ｂ  下段収納庫の上側ラッチ、
９  ラッチ受部材、
１０  天板、
１１  底板、
１２  側板、
１３  背板、
１４  ヒンジ、
１５  シャフト、
１６  係合孔、
１７  前框部、
１８  水平板、
１９  前板、
２０  カバー体、
２１  挿入部、
２１  カバー体、
２２  係合部、
２３  開放部、
２４  棚板、
２５  スリット開口、
２６  フランジ部、
２７  溝部、
２８  爪部、
２９  棚板部、
３０  補強縁、
３１  水平部、
３２  受部、
３３  補強部、
３４  切欠部、
３５  凹部。
【図１】
2018003321.tif 000003
【図２】
2018003321.tif 000004
【図３】
2018003321.tif 000005
【図４】
2018003321.tif 000006
【図５】
2018003321.tif 000007
【図６】
2018003321.tif 000008